(57)【要約】【課題】かしめ作業が不要で容易に輪ゴムを装着することができると共に、装飾品の装飾性を損なうことがない装飾品用輪ゴム留め具を提供すること。【解決手段】装飾品１に輪ゴム２を留める装飾品用輪ゴム留め具３であって、装飾品１に固定されるベース部４と、ベース部４から突出して設けられ、輪ゴム２を係止可能な係止空間部８と輪ゴム２を係止空間部８に挿入可能な挿入隙間部９とを有する３つの係止爪５，６，７と、を備え、３つの係止爪５，６，７は、係止空間部８が略同一直線状に配置されるように互いに離間してベース部４に設けられ、係止爪５，７の挿入隙間部９と係止爪５，７に隣接する他の係止爪６の挿入隙間部９とは、係止空間部８に係止される輪ゴム２の太さ方向における一端２ａ側と他端２ｂ側とに交互に配置される。【選択図】図６
2011072600.tif 000002
【特許請求の範囲】
【請求項１】
装飾品に輪ゴムを留める装飾品用輪ゴム留め具であって、
前記装飾品に固定されるベース部と、
前記ベース部から突出して設けられ、前記輪ゴムを係止可能な係止空間部と前記輪ゴムを該係止空間部に挿入可能な挿入隙間部とを有する複数の係止爪と、
を備え、
前記複数の係止爪は、前記係止空間部が略同一直線状に配置されるように互いに離間して前記ベース部に設けられ、
前記係止爪の前記挿入隙間部と該係止爪に隣接する他の前記係止爪の前記挿入隙間部とは、前記係止空間部に係止される前記輪ゴムの太さ方向における一端側と他端側とに交互に配置される装飾品用輪ゴム留め具。
【請求項２】
前記挿入隙間部は、伸長していない状態の前記輪ゴムの太さよりも小さい隙間寸法に形成されている請求項１に記載の装飾品用輪ゴム留め具。
【請求項３】
前記複数の係止爪のうち両端に位置する係止爪から更に外側に離間して配置されるように前記ベース部から突出して設けられ、前記輪ゴムを係止可能な係止空間部と前記輪ゴムを該係止空間部に挿入可能な挿入隙間部とを有する補助係止爪を備え、
前記補助係止爪の前記挿入隙間部と該補助係止爪に隣接する前記係止爪の前記挿入隙間部とは、前記係止空間部に係止される前記輪ゴムの太さ方向における一端側と他端側とにそれぞれ配置される請求項１又は２に記載の装飾品用輪ゴム留め具。
【請求項４】
前記ベース部は、前記装飾品の一部として該装飾品の背面に一体に設けられる請求項１から３のいずれか一つに記載の装飾品用輪ゴム留め具。
【発明の詳細な説明】
【技術分野】
【０００１】
本発明は、装飾品に輪ゴムを留める装飾品用輪ゴム留め具に関する。
【背景技術】
【０００２】
従来より、髪の毛を束ねて留める装飾品（髪留め）のうち、輪ゴムを装着されるものが知られている。この輪ゴムは、「ヘアーゴム」と称されていることが多い。ヘアーゴムは、髪の毛を束ねて留めるために、所定の弾性を有する環状のゴム紐等で構成されている。近年においては、結び目や繋ぎ目のないヘアーゴムが提供されている。また、装飾品は、例えば、合成樹脂、皮革、金属等によって、動植物、アニメ等のキャラクターや幾何学模様等、種々の装飾形状に構成されている。
【０００３】
輪ゴムを留める手段として、例えば、特許文献１に記載の従来技術が提供されている。この特許文献１には、「止め本体と、この止め本体に設けられて輪ゴムをそれぞれ挿通できる２個の孔と、前記止め本体に設けられて前記止め本体の外部から前記各孔にそれぞれ前記輪ゴムを挿入できる２個の割目とを備える輪ゴム用止め具」が開示されている。
【０００４】
また、ヘアーゴム（輪ゴム）を装飾品に留める他の手段として、装飾品の背面等に設けられた金属薄板からなる爪部材や、装飾品の背面等に設けられたスリット付きの金属製パイプ部材等が知られている。
【０００５】
このような爪部材によってヘアーゴムを留める場合、爪部材にヘアーゴムを挟んだ後に、この爪部材をペンチ等の圧縮工具でかしめて固定していた。また、前記パイプ部材によってヘアーゴムを留める場合、パイプ部材のスリットからパイプ部材の内部にヘアーゴムを通した後、このパイプ部材をペンチ等の圧縮工具でかしめて固定していた。
【先行技術文献】
【特許文献】
【０００６】
【特許文献１】実開昭６３−６７４６１号公報
【発明の概要】
【発明が解決しようとする課題】
【０００７】
ところで、ヘアーゴムは、様々な色や模様等を有するものが提供されている。そのため、装飾品に装着されているヘアーゴムを取り外し、別のヘアーゴムに取り替えて使用することで、装飾性の変化を楽しみたいと望むユーザーも多い。また、ヘアーゴムが劣化等により切断等した場合にも、新規なヘアーゴムを装飾品に装着する必要がある。
【０００８】
上記特許文献１に記載の技術は、輪ゴムを挿入する孔と割目とを止め本体に備えているので、ユーザーは、止め本体の外部から輪ゴムを容易に装着することができる。
しかし、輪ゴムの一部が止め本体の表面に露出するので、装飾性が損なわれる虞がある。また、止め本体に孔と割目が設けられているので、止め本体を装飾品として用いる場合には、この孔と割目によって装飾性が損なわれる虞がある。そのため、上記特許文献１に記載の技術を、装飾品に対するヘアーゴムの留め具として適用するのは困難である。
【０００９】
また、前記爪部材や前記パイプ部材によってヘアーゴムを装飾品に留める場合には、ペンチ等の圧縮工具を用いたかしめ作業が必要となるため、一般のユーザーがこのような作業をするのは容易ではない。
【００１０】
また、ヘアーゴムを交換する際には、かしめた爪部材やパイプ部材を、かしめる前の状態に曲げ戻した後に、新規なヘアーゴムを通し、爪部材やパイプ部材を再びかしめ直す必要がある。そのため、このような交換作業（かしめ直し作業）を何度か繰り返すと、爪部材等が金属疲労により破損してしまい、ヘアーゴムを固定できなくなる虞があった。
【００１１】
また、前述の問題点は、髪留め等の装飾品以外の装飾品（例えば、ブレスレット等）においても同様に発生する場合がある。
【００１２】
そのため、かしめ作業が不要で容易に輪ゴムを装着することができると共に、装飾品の装飾性を損なうことがない装飾品用輪ゴム留め具が望まれていた。
【００１３】
本発明は、上記に鑑みてなされたものであって、かしめ作業が不要で容易に輪ゴムを装着することができると共に、装飾品の装飾性を損なうことがない装飾品用輪ゴム留め具を提供することを目的とする。
【課題を解決するための手段】
【００１４】
本発明は、装飾品に輪ゴムを留める装飾品用輪ゴム留め具であって、前記装飾品に固定されるベース部と、前記ベース部から突出して設けられ、前記輪ゴムを係止可能な係止空間部と前記輪ゴムを該係止空間部に挿入可能な挿入隙間部とを有する複数の係止爪と、を備え、前記複数の係止爪は、前記係止空間部が略同一直線状に配置されるように互いに離間して前記ベース部に設けられ、前記係止爪の前記挿入隙間部と該係止爪に隣接する他の前記係止爪の前記挿入隙間部とは、前記係止空間部に係止される前記輪ゴムの太さ方向における一端側と他端側とに交互に配置される装飾品用輪ゴム留め具に関する。
【００１５】
また、前記挿入隙間部は、伸長していない状態の前記輪ゴムの太さよりも小さい隙間寸法に形成されていることが好ましい。
【００１６】
また、前記複数の係止爪のうち両端に位置する係止爪から更に外側に離間して配置されるように前記ベース部から突出して設けられ、前記輪ゴムを係止可能な係止空間部と前記輪ゴムを該係止空間部に挿入可能な挿入隙間部とを有する補助係止爪を備え、前記補助係止爪の前記挿入隙間部と該補助係止爪に隣接する前記係止爪の前記挿入隙間部とは、前記係止空間部に係止される前記輪ゴムの太さ方向における一端側と他端側とにそれぞれ配置されることが好ましい。
【００１７】
また、前記ベース部は、前記装飾品の一部として該装飾品の背面に一体に設けられることが好ましい。
【発明の効果】
【００１８】
本発明によれば、かしめ作業が不要で容易に輪ゴムを装着することができると共に、装飾品の装飾性を損なうことがない装飾品用輪ゴム留め具を提供することができる。
【図面の簡単な説明】
【００１９】
【図１】本発明の第１実施形態の装飾品用輪ゴム留め具３を示す斜視図である。
【図２】ベース部側から視た装飾品用輪ゴム留め具３を示す斜視図である。
【図３】装飾品用輪ゴム留め具３を示す正面図である。
【図４】装飾品用輪ゴム留め具３を示す平面図である。
【図５】装飾品用輪ゴム留め具３を示す側面図である。
【図６】装飾品用輪ゴム留め具３をコンチョに適用した例を示す斜視図である。
【図７】（ａ）から（ｆ）は、装飾品用輪ゴム留め具３に輪ゴム２を装着する過程を示す図である。
【図８】（ａ）から（ｄ）は、本発明の第２実施形態の装飾品用輪ゴム留め具１０を示す図である。
【図９】本発明の第３実施形態の装飾品用輪ゴム留め具２０を示す平面図である。
【発明を実施するための形態】
【００２０】
〔第１実施形態〕
以下に、本発明の第１実施形態について図１から図６を参照しながら説明する。
図１は、本発明の第１実施形態の装飾品用輪ゴム留め具３を示す斜視図である。図２は、ベース部側から視た装飾品用輪ゴム留め具３を示す斜視図である。図３は、装飾品用輪ゴム留め具３を示す正面図である。図４は、装飾品用輪ゴム留め具３を示す平面図である。図５は、装飾品用輪ゴム留め具３を示す側面図である。図６は、装飾品用輪ゴム留め具３をコンチョに適用した例を示す斜視図である。
【００２１】
図１から図５に示すように、装飾品用輪ゴム留め具３は、髪留め等の装飾品１（図６参照）に輪ゴム２を留める部材である。装飾品１は、例えば、合成樹脂、皮革、金属等によって、動植物、アニメ等のキャラクターや幾何学模様等、種々の装飾形状に構成されている。本実施形態においては、髪留めに用いる装飾品１として、図６に示すように、コンチョ（ｃｏｎｃｈｏ）を例示している。
【００２２】
なお、コンチョとは、コイン等の金属製の円板をドーム型に曲げ加工することによって作製された飾りボタン等の装飾品をいう。このようなコンチョは、財布や鞄、洋服のボタンやアクセサリーの部品として使われていることが多い。
【００２３】
本実施形態の輪ゴム２は、いわゆる「ヘアーゴム」であり、髪の毛を束ねて留めるために、所定の弾性を有する環状のゴム紐等で構成されている。輪ゴム２は、結び目や繋ぎ目がない（目立たない）ように構成されている。
【００２４】
図１から図５に示すように、本実施形態の装飾品用輪ゴム留め具３は、ベース部４と、係止爪５，６，７と、を備える。装飾品用輪ゴム留め具３は、例えば、金属材料により構成されている。具体的には、装飾品１としての前記コンチョと同一の金属材料（例えば、銀）で構成されている。
【００２５】
ベース部４は、装飾品１の背面に固定される部分である。ベース部４は、例えば、平面視「く」字状の薄板部材として構成されている。このベース部４は、図６に示すように、装飾品１の一部として装飾品１の背面に一体に設けられている。
【００２６】
係止爪５，６，７は、ベース部４から突出して設けられている。具体的には、係止爪５，６，７は、側面視略「Ｃ」字状の薄板部材から構成され、係止空間部８及び挿入隙間部９を有する。
【００２７】
係止空間部８は、図５に示すように、輪ゴム２を係止可能な側面視略円形の空間として形成されている。係止空間部８は、伸長していない状態の輪ゴム２の太さ（図６に示す直径Ｄ）よりも小さい内径Ｌ１に形成されている。つまり、係止空間部８内に位置する輪ゴム２は、圧縮された状態で係止爪５，６，７と当接するようになっている。
【００２８】
挿入隙間部９は、係止空間部８に連通して設けられ、輪ゴム２を係止空間部８に挿入可能に構成されている。挿入隙間部９は、図３に示すように、伸長していない状態の輪ゴム２の太さ（図６に示す直径Ｄ）よりも小さい隙間寸法Ｌ２に形成されている。つまり、係止空間部８に係止された輪ゴム２が、挿入隙間部９を介して係止空間部８の外部に容易に脱落しないように構成されている。
【００２９】
このように構成された係止爪５は、ベース部４の一端から突出して設けられている。また、係止爪６は、ベース部４の中央から突出して設けられている。係止爪７は、ベース部４の他端から突出して設けられている。
【００３０】
また、係止爪５，６，７は、係止空間部８が略同一直線状に配置されるように互いに離間してベース部４に設けられている。図３に示すように、係止爪５と係止爪６の隙間寸法（配置間隔）Ｌ３及び係止爪６と係止爪７の隙間寸法（配置間隔）Ｌ３は、同一であり、かつ、伸長していない状態の輪ゴム２の太さ（図６に示す直径Ｄ）よりも小さく形成されている。
【００３１】
図６に示すように、係止爪５，７の挿入隙間部９と係止爪６の挿入隙間部９とは、係止空間部８に係止される輪ゴム２の太さ方向における一端２ａ側と他端２ｂ側とに交互に配置される。つまり、係止爪５，７及び係止爪６は、輪ゴム２の太さ方向における一端２ａ側と他端２ｂ側とから輪ゴム２を挟むことができるように、ベース部４に配置されている。
【００３２】
また、係止爪５，６，７の角部及びベース部４の角部であって、輪ゴム２が当接する箇所には、適宜、面取りが施されている。これにより、係止爪５，６，７に対する輪ゴム２の着脱時に輪ゴム２が傷つくことを抑制する。
【００３３】
次に、装飾品１に設けられた装飾品用輪ゴム留め具３（図６参照）に輪ゴム２を装着する方法について、図７（ａ）から（ｆ）を参照しながら説明する。図７（ａ）から（ｆ）は、装飾品用輪ゴム留め具３に輪ゴム２を装着する過程を示す図である。なお、図７においては、説明の便宜上、装飾品１の図示を省略してある。
【００３４】
先ず、図７（ａ）及び図７（ｂ）に示すように、装飾品用輪ゴム留め具３の係止爪７の係止空間部８に輪ゴム２を装着する。具体的には、所定量伸長させて太さ（図６に示す直径Ｄ）を細くした輪ゴム２を、係止爪７の挿入隙間部９から係止空間部８に挿入させながら、係止爪７，６の間に挿入する。この作業及び以下の作業は、手指によって容易に行うことができるが、マイナスドライバー等の工具を用いて行ってもよい。
【００３５】
次に、図７（ｃ）及び図７（ｄ）に示すように、装飾品用輪ゴム留め具３の係止爪６の係止空間部８に輪ゴム２を装着する。具体的には、所定量伸長させて太さ（図６に示す直径Ｄ）を細くした輪ゴム２を、係止爪６の挿入隙間部９から係止空間部８に挿入させながら、係止爪６，５の間に挿入する。
【００３６】
そして、図７（ｅ）及び図７（ｆ）に示すように、装飾品用輪ゴム留め具３の係止爪５の係止空間部８に輪ゴム２を装着する。具体的には、所定量伸長させて太さ（図６に示す直径Ｄ）を細くした輪ゴム２を、係止爪５の挿入隙間部９から係止空間部８に挿入することによって、係止爪５，６，７に輪ゴム２を装着する。このように、従来のようなかしめ作業を行う必要がなく、装飾品１の装飾品用輪ゴム留め具３に輪ゴム２を容易に装着することができる。
【００３７】
以上のように、第１実施形態の装飾品用輪ゴム留め具３によれば、以下に示す各効果が奏される。第１実施形態の装飾品用輪ゴム留め具３は、ベース部４と、係止空間部８及び挿入隙間部９を有する３つの係止爪５，６，７と、を備え、３つの係止爪５，６，７は、係止空間部８が略同一直線状に配置されるように互いに離間してベース部４に設けられ、係止爪５，７の挿入隙間部９と係止爪６の挿入隙間部９とは、係止空間部８に係止される輪ゴム２の太さ方向における一端２ａ側と他端２ｂ側とに交互に配置される。
【００３８】
そのため、従来のようなかしめ作業が不要であるので、一般のユーザーであっても、装飾品用輪ゴム留め具３（係止爪５，６，７）に手指等で容易に新規な輪ゴム２を装着することができる。
【００３９】
また、装飾品用輪ゴム留め具３は、装飾品１の背面に設けられているので、装飾品１の装飾性を損なうことがない。
【００４０】
また、従来のようなかしめ直しによる金属疲労が生じないので、係止爪５，６，７の耐久性がきわめてよい。
【００４１】
更に、装飾品用輪ゴム留め具３（係止爪５，６，７）に手指等で容易に輪ゴムを装着することができるので、圧縮工具等により装飾品１を傷付けることを抑制することができる。
【００４２】
また、挿入隙間部９は、伸長していない状態の輪ゴム２の太さよりも小さい隙間寸法Ｌ２に形成されている。そのため、係止空間部８に係止された輪ゴム２が、挿入隙間部９を介して係止空間部８の外部に脱落することを抑制することができる。
【００４３】
装飾品用輪ゴム留め具３（係止爪５，６，７）は、きわめて簡易な構造であるので、装飾品１（例えば、コンチョ等）に一体成形により設けることができ、装飾性を統一できると共に、製造コストを低減することができる。
【００４４】
〔第２実施形態〕
次に、本発明の第２実施形態について図８を参照しながら説明する。図８（ａ）から（ｄ）は、本発明の第２実施形態の装飾品用輪ゴム留め具１０を示す図である。図８（ａ）は、装飾品用輪ゴム留め具１０を示す正面図である。図８（ｂ）は、装飾品用輪ゴム留め具１０を示す背面図である。図８（ｃ）は、装飾品用輪ゴム留め具１０を示す平面図である。図８（ｄ）は、装飾品用輪ゴム留め具１０を示す側面図である。
【００４５】
図８（ａ）から（ｄ）に示すように、本発明の第２実施形態の装飾品用輪ゴム留め具１０は、全体を略直方体状に形成され、ベース部１１と、係止爪１２，１３，１４と、を備える。装飾品用輪ゴム留め具１０は、例えば、金属材料により構成されている。
【００４６】
ベース部１１は、装飾品１の背面に固定される部分である。ベース部１１は、略直方体の薄板部材として構成されている。
【００４７】
係止爪１２，１３，１４は、ベース部１１から突出して設けられている。具体的には、係止爪１２，１３，１４は、側面視略「Ｌ」字状の薄板部材から構成され、係止空間部１５及び挿入隙間部１６を有する。
【００４８】
係止空間部１５は、図８（ｄ）に示すように、輪ゴム２を係止可能な側面視略円形の空間として形成されている。係止空間部１５は、伸長していない状態の輪ゴム２の太さよりも小さい内径に形成されている。つまり、係止空間部１５内に位置する輪ゴム２は、圧縮された状態で係止爪１２，１３，１４と当接するようになっている。
【００４９】
挿入隙間部１６は、係止空間部１５に連通して設けられ、輪ゴム２を係止空間部１５に挿入可能に構成されている。挿入隙間部１６は、伸長していない状態の輪ゴム２の太さよりも小さい隙間寸法に形成されている。つまり、係止空間部１５に係止された輪ゴム２が、挿入隙間部１６を介して係止空間部１５の外部に容易に脱落しないように構成されている。
【００５０】
また、係止爪１２，１３，１４は、係止空間部１５が同一直線状に配置されるように互いに離間してベース部１１に設けられている。係止爪１２と係止爪１３の隙間（配置間隔）及び係止爪１３と係止爪１４の隙間（配置間隔）は、伸長していない状態の輪ゴム２の太さよりも小さく形成されている。
【００５１】
係止爪１２，１４の挿入隙間部１６と係止爪１３の挿入隙間部１６とは、係止空間部１５に係止される輪ゴム２の太さ方向における一端側と他端側とに交互に配置される。つまり、図８（ｃ）に示すように、係止爪１２，１４及び係止爪１３は、輪ゴム２の太さ方向における一端側と他端側とから輪ゴム２を挟むことができるようにベース部１１に配置されている。
【００５２】
以上のように、装飾品用輪ゴム留め具１０は、全体を略直方体状に形成され、係止空間部１５を貫通穴として容易に設けることができる。また、挿入隙間部１６を係止空間部１５に連通するスリット（溝）として容易に設けることができる。更に、係止爪１２，１３，１４同士の隙間をスリット（溝）として容易に設けることができる。
【００５３】
また、図示例を省略するが、係止爪１２，１３，１４の角部及びベース部１１の角部であって、輪ゴム２が当接する箇所には、適宜、面取りが施されている。
【００５４】
装飾品用輪ゴム留め具１０に輪ゴム２を装着する方法は、前記第１実施形態の場合と同様であるので、重複説明を省略する。
【００５５】
以上のように、第２実施形態の装飾品用輪ゴム留め具１０によれば、以下に示す各効果が奏される。第２実施形態の装飾品用輪ゴム留め具１０は、ベース部１１と、係止空間部１５及び挿入隙間部１６を有する３つの係止爪１２，１３，１４と、を備え、３つの係止爪１２，１３，１４は、係止空間部１５が同一直線状に配置されるように互いに離間してベース部１１に設けられ、係止爪１２，１４の挿入隙間部１６と係止爪１３の挿入隙間部１６とは、係止空間部１５に係止される輪ゴム２の太さ方向における一端側と他端側とに交互に配置される。
【００５６】
そのため、従来のようなかしめ作業が不要であるので、一般のユーザーであっても、装飾品用輪ゴム留め具１０（係止爪１２，１３，１４）に手指等で容易に新規な輪ゴム２を装着することができる。
【００５７】
また、装飾品用輪ゴム留め具１０に対し、係止空間部１５を貫通穴として容易に設けることができると共に、挿入隙間部１６及び係止爪１２，１３，１４同士の隙間をスリット（溝）として容易に設けることができるので、装飾品用輪ゴム留め具１０の製造コストを低減することができる。
【００５８】
〔第３実施形態〕
次に、本発明の第３実施形態について図９を参照しながら説明する。図９は、本発明の第３実施形態の装飾品用輪ゴム留め具２０を示す平面図である。
図９に示すように、本発明の第３実施形態の装飾品用輪ゴム留め具２０は、第１実施形態の装飾品用輪ゴム留め具３を適用した装飾品１よりも、寸法が大きな装飾品１ａに適用される。装飾品１ａとしては、例えば、ブレスレット等を挙げることができる。
【００５９】
図９に示すように、本発明の第３実施形態の装飾品用輪ゴム留め具２０は、第１実施形態で示したベース部４（図９には図示せず）と、係止爪５，６，７と、補助係止爪２１，２２と、を備える。ベース部４（図９には図示せず）及び係止爪５，６，７は、前記第１実施形態の場合と同様であるので、重複説明を省略する。
【００６０】
補助係止爪２１，２２は、係止爪７，５から更に外側に所定距離離間して配置されるように、ベース部４（図９には図示せず）から突出して設けられている。補助係止爪２１，２２は、輪ゴム２を係止可能な係止空間部２３と、輪ゴム２を係止空間部２３に挿入可能な挿入隙間部２４と、を有する。前記所定距離は、装飾品１ａの長さ（大きさ）に応じて適宜設定される。
【００６１】
補助係止爪２１の挿入隙間部２４と係止爪７の挿入隙間部９とは、係止空間部２３，８に係止される輪ゴム２の太さ方向における一端側と他端側とにそれぞれ配置される。また、補助係止爪２２の挿入隙間部２４と係止爪５の挿入隙間部９とは、係止空間部２３，８に係止される輪ゴム２の太さ方向における一端側と他端側とにそれぞれ配置される。
【００６２】
装飾品用輪ゴム留め具２０に輪ゴム２を装着する方法は、前記第１実施形態の場合と略同様であるので、重複説明を省略する。
【００６３】
以上のように、第３実施形態の装飾品用輪ゴム留め具２０によれば、以下に示す各効果が奏される。第３実施形態の装飾品用輪ゴム留め具２０は、ベース部４（図９には図示せず）と、係止爪５，６，７と、補助係止爪２１，２２と、を備え、補助係止爪２１，２２は、係止爪７，５から更に外側に所定距離離間して配置されるように、ベース部４（図９には図示せず）から突出して設けられ、輪ゴム２を係止可能な係止空間部２３と、輪ゴム２を係止空間部２３に挿入可能な挿入隙間部２４と、を有する。
【００６４】
そのため、前記第１実施形態の場合と同様の効果を奏する他、係止爪５，６，７よりも外側に位置する補助係止爪２１，２２によって輪ゴム２を係止することができるので、寸法が大きな装飾品１ａであっても、装飾品１ａの姿勢を安定に保つことができ、ユーザーは、良好な付け心地を得ることができる。
【００６５】
以上、本発明の一実施形態について説明したが、本発明は、前述した実施形態に制限されるものではなく、適宜変更が可能である。
【００６６】
例えば、前記第１実施形態においては、ベース部４に係止爪５，６，７を設けるものとして説明したが、これに制限されず、係止爪５，６，７を装飾品１に直接設けてもよい。
また、前記第３実施形態においては、ベース部４に係止爪５，６，７及び補助係止爪２１，２２を設けるものとして説明したが、これに制限されず、係止爪５，６，７及び補助係止爪２１，２２を装飾品１ａに直接設けてもよい。
【００６７】
また、前記第１実施形態から前記第３実施形態においては、係止爪を３つ（係止爪５，６，７又は係止爪１２，１３，１４）設けるものとして説明したが、これに制限されず、装飾品１，１ａの寸法に応じて係止爪を２つ、又は４つ以上設けてもよい。
【００６８】
また、前記第３実施形態においては、補助係止爪を２つ（補助係止爪２１，２２）設けるものとして説明したが、これに制限されず、装飾品１ａの寸法に応じて係止爪を３つ以上設けてもよい。
【符号の説明】
【００６９】
１，１ａ  装飾品
２  輪ゴム
２ａ  一端
２ｂ  他端
３  装飾品用輪ゴム留め具
４  ベース部
５，６，７  係止爪
８  係止空間部
９  挿入隙間部
１０  装飾品用輪ゴム留め具
１１  ベース部
１２，１３，１４  係止爪
１５  係止空間部
１６  挿入隙間部
２０  装飾品用輪ゴム留め具
２１，２２  補助係止爪
２３  係止空間部
２４  挿入隙間部
Ｌ２  隙間寸法
【図１】
2011072600.tif 000003
【図２】
2011072600.tif 000004
【図３】
2011072600.tif 000005
【図４】
2011072600.tif 000006
【図５】
2011072600.tif 000007
【図６】
2011072600.tif 000008
【図７】
2011072600.tif 000009
【図８】
2011072600.tif 000010
【図９】
2011072600.tif 000011